【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
長手方向に伸長可能で、伸長させた時に弾性的収縮性を有する細長い合成樹脂から成る基材片と、該基材片の両面又は片面に塗着された粘着剤層とを有するテープ状部材により構成され、該基材片の上記弾性的収縮性を利用して瞼にくびれ部を形成することにより、瞼に擬似的な整形を施すための化粧用瞼整形テープであって、
上記テープ状部材は、その長手方向の第１端側及び第２端側に、指先での把持に供される一対の把持領域をそれぞれ有すると共に、これら一対の把持領域の間に、所定長さに伸長されて瞼への貼付けに供される貼着領域を有しており、
上記貼着領域の長手方向の全域が、上記第１端側から第２端側に向かって上記基材片の幅が連続的に小さくなる幅縮小区間によって形成されている、
ことを特徴とするもの。
【請求項２】
請求項１に記載の化粧用瞼整形テープであって、
上記テープ状部材が、平面視において、その第１端から第２端に向かって幅が小さくなる三角形又は台形に形成されている、
ことを特徴とするもの。
【請求項３】
請求項１に記載の化粧用瞼整形テープであって、
上記基材片は、少なくとも第１基材層を有していて、
上記基材片の第１基材層は、上記貼着領域を上記所定長さに伸長させたときに延伸されて、その延伸状態においても弾性的収縮性を有している、
ことを特徴とするもの。
【請求項４】
請求項３に記載の化粧用瞼整形テープであって、
上記基材片が、ポリオレフィン樹脂から成る上記第１基材層と、エラストマー樹脂から成る第２基材層との積層体によって形成されている、
ことを特徴とするもの。
【請求項５】
請求項４に記載の化粧用瞼整形テープであって、
上記第１基材層が低密度ポリエチレン樹脂から成り、上記第２基材層がポリウレタン樹脂から成っている、
ことを特徴とするもの。
【請求項６】
請求項１に記載の化粧用瞼整形テープであって、
上記化粧用瞼整形テープが、さらに、上記粘着剤層に対して易剥離性を有する合成樹脂により形成され、上記テープ状部材の把持領域及び貼着領域に上記粘着剤層を覆って貼着された剥離シート片を有しており、
上記剥離シート片が、上記貼着領域に対応する部分に、厚さ方向の中間までの深さを有して幅方向に延設された、長手方向への引張りにより破断する易破断部を有している、
ことを特徴とするもの。
【請求項７】
請求項１に記載の化粧用瞼整形テープであって、
上記化粧用瞼整形テープが、さらに、上記粘着剤層に対して易剥離性を有するフィルムにより形成され、上記テープ状部材の貼着領域に上記粘着剤層を覆って貼着された剥離フィルム片を有しており、
上記一対の把持領域は非粘着になっていて、
上記剥離フィルム片が、上記テープ状部材よりも短く形成され、上記第１端側及び第２端側に上記把持領域の一部又は全部をそれぞれ露出させて、該テープ状部材上に延在している、
ことを特徴とするもの。
【請求項８】
請求項１−７の何れかに記載の化粧用瞼整形テープを用いた二重瞼の形成方法であって、以下のステップを有するもの。
１  上記テープ状部材の一対の把持領域を持って長手方向に引張ることにより、該テープ状部材の貼着領域を上記所定長さに伸長させるステップ
２  上記ステップ１で上記所定長さに伸長させた上記貼着領域の一部又は全部を、上記テープ状部材を引張ったままの状態で上瞼に押当てることにより、上記粘着剤で上瞼に貼付けるステップ
３  上記テープ状部材の引張りを解除して、上記上瞼に貼付けた貼着領域の基材片を弾性的に収縮させることにより、上瞼に該貼着領域に沿ったくびれ部を形成するステップ
４  上瞼を開いた際に、該上瞼の皮膚が上記くびれ部で折り返されて、二重瞼の襞が形成されるステップ
【請求項９】
請求項１−７の何れかに記載の化粧用瞼整形テープの製造方法であって、以下のステップを含むもの。
１  上記基材片を形成する合成樹脂から成る基材シートの両面又は片面に、粘着剤を塗着した粘着シートを準備するステップ
２  切断刃で該粘着シートを切断することにより、上記テープ状部材を含んだ化粧用瞼整形テープを得るステップ
【手続補正２】
【補正対象書類名】明細書
【補正対象項目名】０００７
【補正方法】変更
【補正の内容】
【０００７】
上記課題を解決するため、本発明は、長手方向に伸長可能で、伸長させた時に弾性的収縮性を有する細長い合成樹脂から成る基材片と、該基材片の両面又は片面に塗着された粘着剤層とを有するテープ状部材により構成され、該基材片の上記弾性的収縮性を利用して瞼にくびれ部を形成することにより、瞼に擬似的な整形を施すための化粧用瞼整形テープであって、上記テープ状部材は、その長手方向の第１端側及び第２端側に、指先での把持に供される一対の把持領域をそれぞれ有すると共に、これら一対の把持領域の間に、所定長さに伸長されて瞼への貼付けに供される貼着領域を有しており、上記貼着領域の長手方向の全域が、上記第１端側から第２端側に向かって上記基材片の幅が連続的に小さくなる幅縮小区間によって形成されていることを特徴とする。
【手続補正３】
【補正対象書類名】明細書
【補正対象項目名】００１０
【補正方法】変更
【補正の内容】
【００１０】
したがって、上述のように、上記貼着領域の長手方向の全域を上記幅縮小区間によって形成した場合、該貼着領域の第１端側において、より大きな接着力を確保することができるため、瞼の目頭側又は目尻側のうちテープ状部材がより剥がれ易い方に、上記貼着領域の第１端側を貼付けることにより、瞼の目頭側又は目尻側の端部において、瞼への接着性を改善することが可能となる。また、例えば、上記幅縮小区間に加えて、上記貼着領域における該幅縮小区間よりも第２端側に、第１端側から第２端側に向けて基材片の幅が連続的に大きくなる幅拡大区間を設ければ、瞼の目頭側の端部と目尻側の端部との双方において、瞼への接着性を改善することが可能となる。
なお、上述のように、上記貼着領域の長手方向の全域が、上記幅縮小区間によって形成されている場合には、上記テープ状部材が、平面視において、その第１端から第２端に向かって幅が小さくなる三角形又は台形に形成されていると、歩留まりを向上させ、製造コストを抑制することができて望ましい。
【手続補正４】
【補正対象書類名】明細書
【補正対象項目名】００１８
【補正方法】変更
【補正の内容】
【００１８】
以上のように、本発明によれば、テープ状部材を所定長さに伸長させた時における該テープ状部材の弾性的収縮性（すなわち、該テープ状部材を構成する合成樹脂から成る基材片の弾性的収縮性）を利用して、瞼にくびれ部を形成することにより、瞼に擬似的な整形を施すための化粧用瞼整形テープにおいて、瞼の目頭側又は目尻側の端部における該テープ状部材の皮膚に対する接着性を改善したもの、及びそのテープを用いた二重瞼の形成方法、並びに該テープの製造方法を提供することができる。
【手続補正５】
【補正対象書類名】明細書
【補正対象項目名】００１９
【補正方法】変更
【補正の内容】
【００１９】
【図１】本発明に係る化粧用瞼整形テープの第１実施形態を示す概略的な正面図である。
【図２】図１に示すテープのＤ−Ｄ拡大断面図である。
【図３】図１に示すテープの平面図である。
【図４】図１に示すテープの分解斜視図である。
【図５】図１に示すテープの貼着領域Ａの拡大図である。
【図６】本発明に係る化粧用瞼整形テープの使用方法を示す概略図１である。
【図７】本発明に係る化粧用瞼整形テープの使用方法を示す概略図２である。
【図８】本発明に係る化粧用瞼整形テープの使用方法を示す概略図３である。
【図９】本発明に係る化粧用瞼整形テープの使用方法を示す概略図４である。
【図１０】本発明に係る化粧用瞼整形テープの使用方法を示す概略図５である。
【図１１】本発明に係る化粧用瞼整形テープの使用方法を示す概略図６である。
【図１２】本発明に係る化粧用瞼整形テープの使用方法を示す概略図７である。
【図１３】本発明に係る化粧用瞼整形テープの製造方法を示す概略図１である。
【図１４】本発明に係る化粧用瞼整形テープの製造方法を示す概略図２である。
【図１５】本発明に係る化粧用瞼整形テープの製造方法を示す概略図３である。
【図１６】（ａ）−（ｈ）は、上記第１実施形態の変形例を示す平面図である。
【図１７】本発明に係る化粧用瞼整形テープの第２実施形態を示す概略的な正面図である。
【手続補正６】
【補正対象書類名】明細書
【補正対象項目名】００４２
【補正方法】変更
【補正の内容】
【００４２】
さらに、剥離シート片５は、その長手の軸ｌ方向の中央（すなわち、長手の軸ｌ方向における貼着領域Ａに対応する位置）に、長手の軸ｌ方向への引張り操作により破断する易破断部５ａを有している。該易破断部５ａは、剥離シート片５の粘着剤層３と接する第１面５ｂ（図中、内面）から第２面５ｃ（図中、外面）側に向けて、該剥離シート片５の厚さの中間まで切込み（すなわち、スリット）を入れたもので、幅方向に全幅に亘って設けられている。
なお、易破断部５ａの形態は切込みに限定されるものではなく、例えばＶ字状のノッチなど、剥離シート片５の肉厚を局部的に薄くするような形態で形成されていても良い。
【手続補正７】
【補正対象書類名】明細書
【補正対象項目名】００４３
【補正方法】変更
【補正の内容】
【００４３】
ここで、上記剥離シート片５は、粘着剤層３，３に対する易剥離性と上記易破断部５ａにおける破断性とを兼ね備えたシリコーン樹脂によって一体に成形されている。このシリコーン樹脂は、硬度がより高いものである程、上記破断性に優れているため好ましく、その厚さは０．３〜０．５ｍｍ程度であることが望ましい。
そして、上記剥離シート片５における粘着剤層３と接する第１面５ｂは鏡面に、それと反対側の第２面５ｃは微細な粗面に形成されており、製造段階において、該剥離シート片５の第１面５ｂと第２面５ｃを反転させて粘着剤層３と接する面を入れ替えることにより、該剥離シート片５と粘着剤層３との剥離性（密着性）を調整することができるようになっている。
【手続補正８】
【補正対象書類名】明細書
【補正対象項目名】００４８
【補正方法】変更
【補正の内容】
【００４８】
続いて、図１４に示すように、上記積層シート１０を、互いに隣接する易破断線５０ａ間の中央で該易破断線５０ａと平行に裁断して細長い短冊状積層シート１１を形成し、さらに、図１５に示すように、該短冊状積層シート１１を、上記易破断線５０ａと直角方向に延びる切断刃（図示略）と、それと鋭角を成して延びる切断刃（図示略）との組合わせにより細く裁断する。その結果、上記易破断部５ａが長手方向の中央に設けられ、直角三角形を成した上記二重瞼形成用テープ１を得ることができる。
【手続補正９】
【補正対象書類名】明細書
【補正対象項目名】００５３
【補正方法】変更
【補正の内容】
【００５３】
（ｅ）のテープ１ｅにおいては、テープ状部材４の第１の側端面４ｃが、第１端４ａ及び第２端４ｂの端面と直角を成していて、第２の側端面４ｄが、第１端４ａ及び第２端４ｂから中央の易破断部５ａに向けて平面視直線状に傾斜している。また（ｆ）のテープ１ｆにおいては、第１及び第２の側端面４ｃ，４ｄの全体が、凹曲面に形成されている。そして（ｇ）のテープ１ｇにおいては、第１及び第２の側端面４ｃ，４ｄが、第１端４ａと中心の易破断部５ａと間、及び第２端４ｂと中心の易破断部５ａとの間で、それぞれ凸曲面に形成されている。さらに、（ｈ）のテープ１ｈにおいては、テープ状部材４の貼着領域Ａが、その第１端４ａ側及び第２端４ｂ側の端部に、隣接する各把持領域Ｈ１，Ｈ２と同幅に形成された幅一定区間を有している。そして、これら幅一定区間に挟まれた部分に、上記幅縮小区間及び幅拡大区間が形成されている。ここで、これら幅縮小区間及び幅拡大区間においては、第１の側端面４ｃ及び第２の側端面４ｄが平面視直線状の傾斜面を成しており、把持領域Ｈ１の幅は把持領域Ｈ２の幅と略等しくなっている。